(57)【要約】【課題】フィルタの時定数のばらつき等による周波数特性を補正し、トラップ周波数の切換えが可能であり、クロマ信号の減衰を補正することが可能なトラップ回路を得る。【解決手段】複合映像信号ＣＶＢＳを入力し、特定の周波数が除去された出力信号ＯＳを出力するトラップ回路５４であって、先鋭度設定データＱＤにより共振先鋭度Ｑを、及び減衰量設定データＡＤにより減衰量を設定される第１のフィルタ２ａ及び第１のフィルタ２ａに直列に接続された第２のフィルタ２ｂと、第１のフィルタ２ａ及び第２のフィルタ２ｂの周波数特性を制御する自動調整回路３とを備える。【選択図】　　　　　図１
2004015129.tif 000002
【特許請求の範囲】
【請求項１】
複合映像信号、先鋭度設定データ、及び減衰量設定データを入力し、前記先鋭度設定データによって共振先鋭度を設定され、前記減衰量設定データによって高域側の減衰量を補正され、前記先鋭度及び前記減衰量に従うフィルタ特性によってトラップ周波数の信号を除去した映像信号を出力するフィルタ部と、
基準信号及び周波数設定データを入力し、前記基準信号及び前記周波数設定データに応じて前記フィルタ部の前記トラップ周波数を設定する自動調整回路
とを備えることを特徴とするトラップ回路。
【請求項２】
前記フィルタ部は、
前記複合映像信号を入力し第１の音声信号を除去した第１の除去信号を出力する第１のフィルタと、
前記第１のフィルタに直列に接続され、前記第１の除去信号を入力し第２の音声信号を除去する第２のフィルタ
とを備えることを特徴とする請求項１記載のトラップ回路。
【請求項３】
前記第１のフィルタは、
前記複合映像信号を入力し、前記トラップ周波数帯域の第１の音声信号を除去する第１のトラップフィルタと、
前記先鋭度設定データを入力し、前記共振先鋭度を設定する第１の先鋭度調整部と、
前記減衰量設定データを入力し、前記減衰量を設定する第１の高域減衰部
とを備えることを特徴とする請求項２記載のトラップ回路。
【請求項４】
前記第１のトラップフィルタは、
負入力端子、出力端子、前記複合映像信号を入力する正入力端子、周波数制御信号を入力する周波数制御端子及び出力端子とを有する第１のアンプと、
前記出力端子に入力端子を接続された第１のバッファと、
前記出力端子とグランド間に接続された第１の容量と、
負入力端子、前記第１のバッファの出力端子に接続された正入力端子、周波数制御信号を入力する周波数制御端子及び出力端子とを有する第２のアンプと、
前記第２のアンプの出力端子及び前記第１のアンプの正入力端子間に接続された第２の容量と、
前記第２のアンプの出力端子と前記第１のアンプの負入力端子間に接続された第２のバッファ
とを備えることを特徴とする請求項３記載のトラップ回路。
【請求項５】
前記第１の先鋭度調整部は、
前記第１のアンプの負入力端子と前記第２のアンプの負入力端子間に接続された第１の抵抗と、
前記先鋭度設定データを入力する制御電極、前記第１の抵抗の他端に接続された第１の主電極とを有する先鋭度切換スイッチと、
一端を前記第２のアンプの負入力端子に接続した第２の抵抗と、
前記先鋭度切換スイッチの第２の主電極と前記第２の抵抗の他端間に接続された第３の抵抗と、
正電極を前記第２第３の抵抗の接続点に接続し、負電極を前記グランドに接続した基準電圧源
とを備えることを特徴とする請求項４記載のトラップ回路。
【請求項６】
前記第１の高域減衰部は、
一端を前記トラップフィルタに接続した容量と、
前記容量の他端に接続された第１の主電極、前記減衰量設定データを入力する制御電極、前記グランドに接続された第２の主電極とを有する減衰量切換スイッチ
とを備えることを特徴とする請求項４記載のトラップ回路。
【請求項７】
前記第２のフィルタは、前記第１のフィルタと同等のフィルタであることを特徴とする請求項２記載のトラップ回路。
【請求項８】
チューナーと、
該チューナーの出力信号から映像中間周波数信号を抽出し出力する弾性表面波フィルタと、
前記映像中間周波数信号から複合映像信号を復調する映像中間周波処理回路と、
該映像中間周波処理回路に接続され、複合映像信号、先鋭度設定データ、及び減衰量設定データを入力し、前記先鋭度設定データによって先鋭度を設定され、前記減衰量設定データによって減衰量を補正され、前記先鋭度及び前記減衰量に従うフィルタ特性、及び基準信号と周波数設定データにより設定されるトラップ周波数帯域の信号を除去した映像信号を出力するトラップ回路
とを備えることを特徴とするテレビ受像装置。
【発明の詳細な説明】
【０００１】
【発明の属する技術分野】
本発明は、テレビ受像装置、及びこれに用いられるトラップ回路に関する。
【０００２】
【従来の技術】
従来のテレビ受像装置は、図７に示すように、受信信号を入力するチューナー５１と、チューナー５１に接続された弾性表面波（ＳＡＷ）フィルタ５２と、弾性表面波フィルタ５２に接続された映像中間周波処理回路５３と、映像中間周波処理回路５３に接続されたトラップフィルタ５５と、トラップフィルタ５５に接続され、映像信号ＶＳを出力する補償回路５６とによりを出力する。
【０００３】
チューナー５１は、受信信号を入力し、特定の周波数帯域のテレビ放送信号が出力する。弾性表面波フィルタ５２は、テレビ放送信号から映像中間周波数信号を抽出する。映像中間周波処理回路５３は、ＡＭ変調された映像中間周波数信号から複合映像信号ＣＶＢＳを復調する。チューナー５１の出力信号には映像信号だけでなく、キャリア変調された音声信号が映像信号より高い周波数帯域に重畳されている。トラップフィルタ５５は、複合映像信号ＣＶＢＳからトラップ周波数ｆｔで設定される帯域の音声信号を除去する。補償回路５６は、チューナー５１、弾性表面波フィルタ５２、映像中間周波処理回路５３、及びトラップフィルタ５５によって信号処理を行う際、種々のフィルタを経由することによって時間的及び振幅的な歪みを受けた複合映像信号ＣＶＢＳを、映像信号帯域において補正し、映像信号ＶＳを出力する。
【０００４】
トラップフィルタ５５は、個別の部品を用いてディスクリートで形成されるのが一般的であるが、テレビジョン等の映像機器の小型化に伴い、半導体集積化される傾向にある。
【０００５】
【発明が解決しようとする課題】
しかし、トラップフィルタ５５を半導集積回路として形成する場合には、ウェハの製造ばらつきによりフィルタの時定数等がばらつき、ディスクリートで形成した場合に比べ周波数特性が大幅にずれるという問題があった。日本国内においては１つの放送規格に対応すればよいが、例えば欧州のようにＢ／Ｇ方式、Ｉ方式、Ｄ／Ｋ方式等の複数の放送規格が存在する場合は、それぞれの方式の周波数に対応したトラップ周波数ｆｔを有するトラップフィルタ５５をそれぞれ個別に備えなければならないという問題があった。
【０００６】
例えば、Ｂ／Ｇ方式では複合映像信号ＣＶＢＳに対し５．５ＭＨｚに、Ｉ方式では６．０ＭＨｚに、Ｄ／Ｋ方式では６．５ＭＨｚに音声信号が配置されている。Ｂ／Ｇ方式のように音声信号が色情報信号であるクロマ信号ＣＳと隣接する位置に存在している場合には、トラップ回路によりクロマ信号ＣＳが減衰してしまうという問題があった。
【０００７】
本発明の目的は、フィルタの時定数のばらつき等による周波数特性を補正し、切換えが可能であり、色情報信号であるクロマ信号ＣＳの減衰および映像信号に対する群遅延時間を補正することが可能なトラップ回路及びテレビ受像装置を提供することである。
【０００８】
【課題を解決するための手段】
上記目的を達成するために、本発明のトラップ回路の特徴は、複合映像信号、先鋭度設定データ、及び減衰量設定データを入力し、先鋭度設定データによってトラップフィルタの先鋭度を設定され、減衰量設定データによってフィルタの減衰量を補正され、先鋭度及び減衰量に従うフィルタ特性によってトラップ周波数帯域の信号を除去した映像信号を出力するフィルタ部と、基準信号と周波数設定データを入力し、フィルタ部のトラップ周波数を設定する自動調整回路とを備える。
【０００９】
本発明の特徴によれば、フィルタの時定数のばらつき等による周波数特性を補正し、切換えが可能であり、色情報信号であるクロマ信号の減衰および映像信号に対する群遅延時間を補正することが可能なトラップ回路及びテレビ受像装置を得る。
【００１０】
【発明の実施の形態】
本発明の実施の形態に係るトラップ回路を説明する前に、トラップ回路が使用される本発明の実施の形態に係るテレビ受像装置について説明する。以下の図面の記載において、同一又は類似の部分には同一又は類似の符号を付している。
【００１１】
（テレビ受像装置）
テレビ受像装置は、図６に示すように、チューナー５１と、チューナー５１に接続された弾性表面波フィルタ５２と、弾性表面波フィルタ５２に接続された映像中間周波処理回路５３と、映像中間周波処理回路５３に接続されたトラップ回路５４とを備える。
【００１２】
本発明の実施の形態におけるテレビ受像装置は、上記のように構成されており、チューナー５１は、テレビ放送信号から特定の周波数帯域の信号を選択し出力する。弾性表面波フィルタ５２は、チューナー５１から出力される特定の周波数帯域の信号から映像中間周波数信号を抽出する。映像中間周波処理回路５３は、弾性表面波フィルタ５２にてＡＭ変調された複合映像信号ＣＶＢＳを復調し、ベースバンド信号として出力する。チューナー５１の出力信号には映像信号だけでなく、キャリア変調された音声信号が映像信号ＶＳより高い帯域に重畳されており、トラップ回路５４は、複合映像信号ＣＶＢＳ、先鋭度設定データＱＤ、及び減衰量設定データＡＤを入力し、先鋭度設定データＱＤによってフィルタ特性の共振先鋭度Ｑを設定され、減衰量設定データＡＤによってフィルタ特性の減衰量を補正され、共振先鋭度及び減衰量に従うフィルタ特性によってトラップ周波数帯域の信号を除去した映像信号を出力し、自動調整回路３に基準信号ＲＳと周波数設定データＦＤを入力しトラップ周波数ｆｔを設定する。
【００１３】
（トラップ回路）
本発明の実施の形態に係るトラップ回路５４は、図１に示すように、フィルタ部１と、フィルタ部１に接続された自動調整回路３とを備える。フィルタ部１は、図１に示すように、第１のフィルタ２ａと、第２のフィルタ２ａの出力側に接続された第２のフィルタ２ｂとを備える。さらに、第１のフィルタ２ａは、第１のトラップフィルタ１０ａと、第１のトラップフィルタ１０ａに接続された第１の先鋭度調整部１１ａと、第１のトラップフィルタ１０ａに接続された第１の高域減衰部１２ａとを備える。また、第２のフィルタ２ｂは、第２のトラップフィルタ１０ｂと、第２のトラップフィルタ１０ｂに接続された第２の先鋭度調整部１１ｂと、第２のトラップフィルタ１０ｂに接続された第２の高域減衰部１２ｂを備える。
【００１４】
自動調整回路３は、第１のトラップフィルタ１０ａ及び第２のトラップフィルタ１０ｂに接続された周波数制御回路３２と、周波数制御回路３２に接続された基準フィルタ３０と、基準フィルタ３０の出力側及び周波数制御回路３２に接続された位相検出器３１とを備える。
【００１５】
本発明の実施の形態に係るトラップ回路５４は、上記のように構成され、第１のトラップフィルタ１０ａは、複合映像信号ＣＶＢＳを入力し、複合映像信号ＣＶＢＳに重畳された特定の周波数帯域の音声信号である第１の音声信号Ｓ１を除去した第１の除去信号ＴＳを出力する。第２のトラップフィルタ１０ｂは、第１の除去信号ＴＳからさらに第１の音声信号Ｓ１とは異なる周波数帯域の音声信号である第２の音声信号Ｓ２を除去した映像信号ＶＳを出力する。第１の音声信号Ｓ１及び第２の音声信号Ｓ２としては、対象とする音声信号が音声多重信号である場合には、それぞれ主キャリア信号及び副キャリア信号のいずれかとすることが可能である。ここで、第１のトラップフィルタ１０ａは第１のトラップ周波数ｆｔ１を中心周波数とするフィルタであり、第２のトラップフィルタ１０ｂは、トラップ周波数ｆｔ１を中心周波数とするフィルタである。ここでは、第１のトラップフィルタ１０ａ及び第２のトラップフィルタ１０ｂの特性をまとめてフィルタ部のトラップ周波数ｆｔとしている。
【００１６】
また、第１の先鋭度調整部１１ａは、先鋭度設定データＱＤに応じて、第１のトラップフィルタ１０ａの共振先鋭度Ｑを設定する。第１の高域減衰部１２ａは、減衰量設定データＡＤに応じて第１のトラップフィルタ１０ａの高域減衰量を設定する。ただし、共振先鋭度Ｑは、フィルタの特性を示し、信号レベルを３ｄＢ減衰させるレベル以下である周波数帯域幅ｆｂと、中心周波数をｆｍとすると、Ｑ＝ｆｍ／ｆｂで表される。
【００１７】
周波数制御回路３２は周波数設定データＦＤを入力し、周波数制御信号ＦＳを出力する。基準フィルタ３０は周波数制御信号ＦＳを入力し、位相及び周波数特性を制御することにより、基準信号ＲＳを所定量だけ移相シフトした位相シフト信号ＳＳを出力する。位相検出器３１は、基準信号ＲＳと位相シフト信号ＳＳ入力し、位相比較した結果を位相誤差検出信号ＰＳとして出力する。さらに、周波数制御回路３２は、位相誤差検出信号ＰＳを入力し、基準フィルタ３０へフィルタ周波数制御信号ＦＳとして帰還させ自動調整ループを構成し、基準信号ＲＳと基準フィルタ３０の出力信号が所定の位相差になるよう収束させ、第１のトラップフィルタ１０ａ及び第２のトラップフィルタ１０ｂに周波数制御信号ＦＳを出力する。周波数制御信ＦＳによって所定の第１のトラップフィルタ１０ａ及び第２のトラップフィルタ１０ｂのトラップ周波数ｆｔは設定される。周波数設定データＦＤに応じてトラップ周波数ｆｔに設定することで、複数の放送規格に対応することができる。基準フィルタ３０としては、トラップフィルタ１０と同型の回路を用いることが考えられ、トラップフィルタの時定数のばらつきを考慮しなくてもよい。
【００１８】
次に、実際の放送規格の例を示し本発明の動作の説明をする。図３（ａ）は放送規格がＢ／Ｇ方式である場合の輝度信号Ｙ、クロマ信号ＣＳ、第１の音声信号Ｓ１、第２の音声信Ｓ２の各信号レベルと周波数の関係を表した図である。輝度信号Ｙは映像信号の強度を表す信号であり、広帯域に及んでいる。クロマ信号ＣＳは色情報信号であり、ＡＭ変調キャリア４．４３３６１９ＭＨｚ（以下４．４ＭＨｚと略）を中心に上下側波の帯域を持っている。音声信号としては欧州等で用いられるＮＩＣＡＭステレオ放送の場合、第１の音声信号Ｓ１が５．５ＭＨｚ，　第２の音声信号Ｓ２が５．７４ＭＨｚとなる。Ｂ／Ｇ方式では、第１の音声信号Ｓ１及び第２の音声信号Ｓ２がクロマ信号ＣＳと隣接する位置に存在する。共振先鋭度Ｑを小さくするとクロマ信号ＣＳの周波数帯域の信号が減衰してしまうため、第１の先鋭度調整部１１ａは、先鋭度設定データＱＤを入力し、第１のトラップフィルタ１０ａの共振先鋭度Ｑを、第２の先鋭度調整部１１ｂは第２のトラップフィルタ１０ｂの共振先鋭度Ｑを、それぞれ図３（ｂ）に示すように高く設定し、クロマ信号ＣＳの減衰量を抑える。
【００１９】
さらに、一般的にフィルタ回路は、共振先鋭度Ｑを小さくすると最大減衰量が大きくなるという傾向がある。そこで、図４（ａ）に示すように、音声信号が色情報信号であるクロマ信号ＣＳと隣接しない位置に存在している場合（例えば第１の音声信号が６．０ＭＨｚの位置に配置されるＩ方式、または第１の音声信号Ｓ１が６．５ＭＨｚの位置に配置されるＤ／Ｋ方式）には、クロマ信号ＣＳが極端に減衰しない範囲で共振先鋭度Ｑを小さく設定する。トラップ回路５４が信号を減衰する周波数であるトラップ周波数ｆｔにおいて、共振先鋭度Ｑを小さく設定すると、図４（ｂ）に示すように、トラップ回路５４の減衰量Ｌ２は図３（ｂ）で示す減衰量Ｌ１よりも低い位置に設定され、音声信号をよりクリアに除去することが可能となる。
【００２０】
また、トラップ回路５４の群遅延時間の周波数特性は、周波数が高くなるほど遅延時間が増加する。第１のトラップフィルタ１０ａ及び第２のとラップフィルタ１０ｂの共振先鋭度Ｑを制御することにより群遅延時間の周波数特性も制御できる。図５（ａ）に示すように、共振先鋭度Ｑが高い場合（ハイモード）には、トラップ周波数ｆｔより低い周波数では遅延時間が小さくなり、高い周波数では遅延が長くなる。共振先鋭度Ｑを低くする（ローモード）とこの逆の傾向が得られ、クロマ減衰量に対し自由度のある場合は、共振先鋭度Ｑを制御することにより、所望の群遅延時間を選ぶことができる。
【００２１】
また、高域減衰回路１２は、図５（ｂ）に示すように、減衰量設定データＡＤを入力し、高域減衰モードに切換えることにより、トラップ周波数ｆｔを挿んで上下周波数での通過利得をアンバランスに、低域を強調することができ、クロマ周波数付近の利得を上げることができる。クロマ信号ＣＳのレベルを上げたい場合には高域減衰モードにすることにより、補償機能を持たせることができる。
【００２２】
本発明の実施の形態に係る図１で示したトラップ回路５４で用いられる第１のフィルタ２ａ及び第２のフィルタ２ｂの回路例の詳細は、図２に示すように、第１のトラップフィルタ１０ａ（第２のトラップフィルタ１０ｂ）と、第１のトラップフィルタ１０ａ（第２のトラップフィルタ１０ｂ）に接続された第１の先鋭度調整部１１ａ（第２の先鋭度調整部１１ｂ）と、第１のトラップフィルタ１０ａ（第２のトラップフィルタ１０ｂ）に接続された第１の高域減衰部１２ａ（第２の高域減衰部１２ｂ）とを備える。
【００２３】
第１のトラップフィルタ１０ａ及び第２のトラップフィルタ１０ｂは、負入力端子、複合映像信号ＣＶＢＳを入力する正入力端子、周波数制御信号ＦＳを入力する周波数制御端子及び出力端子とを有する第１のアンプ２０と、第１のアンプ２０の出力端子に入力端子を接続された第１のバッファ１５と、第１のアンプ２０の出力端子とグランドＧＮＤとの間に接続された第１の容量Ｃ１と、負入力端子、第１のバッファ１５の出力端子に接続された正入力端子、周波数制御信号ＦＳを入力する周波数制御端子及び出力端子とを有する第２のアンプ２１と、第２のアンプ２１の出力端子及び第１のアンプ２０の正入力端子間に接続された第２の容量Ｃ２と、第２のアンプ２１の出力端子に入力端子を接続し、出力端子を第１のアンプ２０の負入力端子に接続した第２のバッファ１６とを備える。
【００２４】
さらに、第１の先鋭度調整部１１ａ及び第２の先鋭度調整部１１ｂは、第１のアンプ２０の負入力端子と第２のアンプ２１の負入力端子の間に接続した第１の抵抗Ｒ１と、先鋭度設定データＱＤを入力する制御電極、第１の抵抗Ｒ１の他端に接続された第１の主電極とを有する先鋭度切換スイッチＳＷ１と、一端を第２のアンプ２１の負入力端子、に接続した第２の抵抗Ｒ２と、先鋭度切換スイッチＳＷ１の第２の主電極と第２の抵抗Ｒ２の他端間に接続された第３の抵抗Ｒ３と、正電極を第２の抵抗Ｒ２と第３の抵抗Ｒ３との接続点に接続し、負電極をグランドＧＮＤに接続した基準電圧源２５とを備える。
【００２５】
また、第１の高域減衰部１２ａ及び第２の高域減衰部１２ｂは、一端を第２のアンプ２１の出力端子に接続した容量Ｃ３と、減衰量設定データＡＤを入力する制御電極、容量Ｃ３の他端に接続された第１の主電極、グランドＧＮＤに接続された第２の主電極とを有する減衰量切換スイッチＳＷ２とを備える。
【００２６】
ただし、第１のアンプ２０及び第２のアンプ２１としては、自動調整回路３からのフィルタ周波数設定信号に応じて電圧電流変換率を変化させることができるトランスコンダクタンスアンプ（電圧電流変換器）等を用いることが可能である。
【００２７】
本発明の実施の形態に係る第１のフィルタ２ａ及び第２のフィルタ２ｂは、上記のように構成され、第１の先鋭度調整部１１ａ（第２の先鋭度調整部１１ｂ）は、先鋭度設定データに応じて第１のトラップフィルタ１０ａ（第２のトラップフィルタ１０ｂ）の共振先鋭度Ｑを調整する。第１の高域減衰部１２ａ（第２の高域減衰部１２ｂ）は、減衰量設定データに応じて、第１のトラップフィルタ１０ａ（第２のトラップフィルタ１０ｂ）のフィルタ高域特性を補正する。第１のトラップフィルタ１０ａ（第２のトラップフィルタ１０ｂ）は、第１の先鋭度調整部１１ａ（第２の先鋭度調整部１１ｂ）及び第１の高域減衰部１２ａ（第２の高域減衰部１２ｂ）により決定されるフィルタ特性に従い、複合映像信号ＣＶＢＳから特定の周波数帯域の音声信号を除去した信号を出力する。
【００２８】
先鋭度切換スイッチＳＷ１及び減衰量切換スイッチＳＷ２がいずれもオープンである場合、周波数制御信号ＦＳのバイアス電流量によって制御される第１のアンプ２０のトランスコンダクタンス値をｇｍ１、周波数制御信号ＦＳのバイアス電流量によって制御される第２のアンプ２１のトランスコンダクタンス値をｇｍ２、減衰量ｋ＝Ｒ２／（Ｒ１＋Ｒ２）、ｓ＝ｊωとおくと、トラップ回路の伝達関数Ｈは、
【数１】
Ｈ＝｛ｓ２＋ｇｍ１・ｇｍ２／（Ｃ１・Ｃ２）｝／｛ｓ２＋ｓ・ｋ・ｇｍ２／Ｃ２＋ｇｍ１・ｇｍ２／（Ｃ１・Ｃ２）｝・・・・・（１）
で表される。
【００２９】
ここで、トラップフィルタ１０の共振先鋭度Ｑは、
【数２】
Ｑ＝｛ｇｍ１・Ｃ２／（ｇｍ２・Ｃ１）｝１／２／ｋ・・・・・（２）
で表される。
【００３０】
ただし、トラップ周波数（ゼロ周波数）ｆｔは、
【数３】
ｆｔ＝｛ｇｍ１・ｇｍ２／（Ｃ１・Ｃ２）｝１／２・・・・・（３）
である。
【００３１】
（２）式及び（３）式を比較すると、減衰量ｋを変えることによりトラップ周波数ｆｔを変えずに共振先鋭度Ｑのみを制御でき、減衰量ｋが小さいほど共振先鋭度Ｑは高くなる。すなわち、先鋭度設定スイッチＳＷ１をオンにするとトラップ回路の出力信号は減衰され、共振先鋭度Ｑはさらに高くなる。
【００３２】
一方、先鋭度設定スイッチＳＷ１がオフした状態で、高域減衰設定スイッチＳＷ２のスイッチがオンされた場合の伝達関数は、
【数４】
Ｈ＝｛Ｃ２／（Ｃ２＋Ｃ３）｝｛ｓ２＋ｇｍ１・ｇｍ２／（Ｃ１・Ｃ２）｝／｛ｓ２＋ｓ・ｋ・ｇｍ２／（Ｃ２＋Ｃ３）＋ｇｍ１・ｇｍ２／Ｃ１・（Ｃ２＋Ｃ３）｝・・・・・（４）
で表される。
【００３３】
トラップ周波数ｆｔを変えることなく、（４）式の分母で示されるポール周波数を変えることができる。すなわち、低域利得は（１）式と同様、高域利得はＣ２／（Ｃ２＋Ｃ３）で与えられＣ３の値を選ぶことにより高域の減衰量を制御することが可能となる。
【００３４】
また、共振先鋭度Ｑを高い値に設定すると、トラップ周波数ｆｔより高域側では遅延時間が大きくなり、低域側では遅延時間が小さくなる。すなわち、共振先鋭度Ｑの値を変更することにより遅延補償が可能である。
【００３５】
本発明の実施の形態に係るトラップ回路によれば、フィルタの時定数のばらつき等による周波数特性を補正し、切換えが可能であり、色情報信号であるクロマ信号ＣＳの減衰および映像信号に対する群遅延時間を補正することが可能となる。
【００３６】
図１で示すトラップ回路５４では第１のフィルタ２ａ及び第２のフィルタ２ｂを２段直列に接続しているが、複合映像信号ＣＶＢＳに除去対象とする信号が複数存在する場合には、フィルタを多段接続することも可能である。
【００３７】
なお、図１で示したトラップ回路は、先鋭度調整部１１及び高域減衰部１２を第１のフィルタ２ａ及び第２のフィルタ２ｂの両方に設けているが、第１のフィルタ２ａ及び第２のフィルタ２ｂのいずれか一方に設けるとしてもよい。
【００３８】
また、周波数設定データＦＤ、先鋭度設定データＱＤ、及び減衰量設定データＡＤはそれぞれ別々の端子としているが、制御のパターンが同一であった場合、兼用することが可能である。
【００３９】
先鋭度設定データＱＤ及び減衰量設定データＡＤは、図１に示したトラップ回路５４では、第１のフィルタ２ａ及び第２のフィルタ２ｂに入力していたが、各々専用の制御信号を用意しても構わない。
【００４０】
本発明のトラップ回路５４を半導体集積化した場合は、所定の波数設定データＦＤを入力することで複数の放送規格に対応することができる。すなわち複数の放送規格に対応させる用途において適応することができ、製品の小型化、または高集積化することを可能とする。さらに、フィルタの時定数のばらつき等による周波数特性を補正し、切換えが可能であり、色情報信号であるクロマ信号ＣＳの減衰および映像信号に対する群遅延時間を補正することが可能となる。
【００４１】
【発明の効果】
本発明により、フィルタの時定数のばらつき等による周波数特性を補正し、切換えが可能であり、色情報信号であるクロマ信号の減衰および映像信号に対する群遅延時間を補正することが可能なトラップ回路及びテレビ受像装置を提供することが可能となる。
【図面の簡単な説明】
【図１】本発明の実施の形態に係るトラップ回路を説明する図である。
【図２】
本発明の実施の形態に係るトラップ回路の回路例の詳細を説明する図である。
【図３】
本発明の実施の形態に係るトラップ回路の先鋭度設定部の動作を説明する図である。
【図４】
本発明の実施の形態に係るトラップ回路の高域減衰部の動作を説明する図である。
【図５】
本発明の実施の形態に係るトラップ回路の自動調整回路の動作を説明する図である。
【図６】
本発明のテレビ受像装置について説明する図である。
【図７】
従来のテレビ受像装置について説明する図である。
【符号の説明】
１・・・フィルタ部
２ａ・・・第１のフィルタ
２ｂ・・・第２のフィルタ
３・・・自動調整回路
１０・・・トラップフィルタ
１０ａ…第１のトラップフィルタ
１０ｂ…第２のトラップフィルタ
１１・・・先鋭度調整部
１１ａ…第１の先鋭度調整部
１１ｂ…第２の先鋭度調整部
１２・・・高域減衰部
１２ａ…第１の高域減衰部
１２ｂ…第２の高域減衰部
１５・・・第１のバッファ
１６・・・第２のバッファ
２０・・・第１のアンプ
２１・・・第２のアンプ
２５・・・基準電圧源
３０・・・基準フィルタ
３１・・・位相検出器
３２・・・周波数制御回路
５１・・・チューナー
５２・・・弾性表面波フィルター
５３・・・映像中間周波処理回路
５４・・・トラップ回路
５５・・・トラップフィルタ
５６・・・補償回路
ＳＷ１・・・先鋭度設定スイッチ
ＳＷ２・・・高域減衰設定スイッチ
【図１】
2004015129.tif 000003
【図２】
2004015129.tif 000004
【図３】
2004015129.tif 000005
【図４】
2004015129.tif 000006
【図５】
2004015129.tif 000007
【図６】
2004015129.tif 000008
【図７】
2004015129.tif 000009